(57)【要約】【課題】簡略な構造でコードの絡みを防止したステレオヘッドホンを提供する。【解決手段】ステレオケーブルおよび該ステレオケーブルから分岐した２本のモノラルケーブルからなるオーディオケーブルと、ステレオケーブルの端部に接続されたステレオプラグと、２本のモノラルケーブルの各々の端部に接続された２つのスピーカ部と、オーディオケーブルが嵌通し、オーディオケーブルに沿って移動可能なスライダとを備え、前記スライダは、ステレオプラグを係止するプラグ収納部を有していることを特徴とする。【選択図】図１
2011139435.tif 000002
【特許請求の範囲】
【請求項１】
ステレオケーブルおよび該ステレオケーブルから分岐した２本のモノラルケーブルからなるオーディオケーブルと、
前記ステレオケーブルの端部に接続されたステレオプラグと、
前記２本のモノラルケーブルの各々の端部に接続された２つのスピーカ部と、
を備えるとともに、
さらに、前記ステレオプラグ、２つのスピーカ部、前記オーディオケーブルの３つの端部のうち１または複数の箇所に、前記オーディオケーブルの３つの端部を束ねる係止部材を備えたステレオヘッドホン。
【請求項２】
ステレオケーブルおよび該ステレオケーブルから分岐した２本のモノラルケーブルからなるオーディオケーブルと、
前記ステレオケーブルの端部に接続されたステレオプラグと、
前記２本のモノラルケーブルの各々の端部に接続された２つのスピーカ部と、
前記オーディオケーブルが嵌通し、前記オーディオケーブルに沿って移動可能なスライダと、
を備え、
前記スライダは、前記ステレオプラグを係止するプラグ収納部を有していることを特徴とするステレオヘッドホン。
【請求項３】
ステレオケーブルおよび該ステレオケーブルから分岐した２本のモノラルケーブルからなるオーディオケーブルと、
前記ステレオケーブルの端部に接続されたステレオプラグと、
前記２本のモノラルケーブルの各々の端部に接続された２つのスピーカ部と、
を備えるとともに、
さらに、前記ステレオケーブルの前記ステレオプラグ側端部に、前記２つのスピーカ部または前記モノラルケーブルの前記２つのスピーカ部側端部を係止するホルダ部材を備えたステレオヘッドホン。
【請求項４】
前記ホルダ部材は、前記ステレオケーブルの前記ステレオプラグからの引き出し部に設けられ、複数のフランジが適当な間隔でケーブル方向に配列された部材である蛇腹チューブを兼ねている請求項３に記載のステレオヘッドホン。
【請求項５】
ステレオケーブルおよび該ステレオケーブルから分岐した２本のモノラルケーブルからなるオーディオケーブルと、
前記ステレオケーブルの端部に接続され、電極およびハウジングを有するステレオプラグと、
前記２本のモノラルケーブルの各々の端部に接続された２つのスピーカ部と、
を備えたステレオヘッドホンであって、
前記ステレオプラグのハウジングに、前記２つのスピーカ部または前記モノラルケーブルの前記２つのスピーカ部側端部を係止するホルダ部を形成したステレオヘッドホン。
【請求項６】
ステレオヘッドホンのオーディオケーブルが緩く嵌通するケーブル嵌通部と、前記ステレオヘッドホンのステレオプラグを係止するプラグ収納部と、を備えたステレオヘッドホン用スライダ。
【請求項７】
ステレオケーブルおよび該ステレオケーブルから分岐した２本のモノラルケーブルからなるオーディオケーブルを有するステレオヘッドホンを折り畳む方法であって、
前記オーディオケーブルの３つの端部を１つに束ねて係止し、こののち、この３つの端部が束ねられた状態のオーディオケーブルをさらに折り畳むことを特徴とするステレオヘッドホンの折り畳み方法。
【発明の詳細な説明】
【技術分野】
【０００１】
この発明は、ステレオヘッドホンのケーブルの絡まりを防ぐ構造および方法に関する。
【背景技術】
【０００２】
ステレオヘッドホンには、オーバーヘッド型、耳掛け型、インナーイヤー型などの形がある。耳に差し込むインナーイヤー型、カナル型はイヤホンとも呼ばれる。オーバーヘッド型は、ヘッドバンドで２つのスピーカ部が連結されているため、２つのスピーカ部とステレオプラグとをつなぐケーブルの絡みはそれほどでもない。しかし、耳掛け型、インナーイヤー型等の左右のスピーカ部が連結されていない構造のステレオヘッドホンの場合には、使用を終えてケーブルをまとめると、２つのスピーカ部およびステレオプラグをつなぐケーブルが絡み合ってしまい、次に使用するとき絡まりを解くのに苦労することが多かった。
【０００３】
このため、このような構造のステレオヘッドホンの収納時にケーブルが絡まないように、特許文献１、２のようにリールを設けることが提案されている。
【先行技術文献】
【特許文献】
【０００４】
【特許文献１】特開２００８−９８９２５号公報
【０００５】
【特許文献２】特開２００６−６７５３７号公報
【発明の概要】
【発明が解決しようとする課題】
【０００６】
しかし、特許文献１のステレオヘッドホンでは、自動巻き取り機能を持ったリールを設ける構成であるため、大がかりな構造になり、ステレオヘッドホン全体としてかさばるものになるうえ、構造が複雑である分コストアップにもつながった。
【０００７】
また、特許文献２のクリップ形リールは、構造は簡単であるが、ケーブルを伸ばしたとき、リールがケーブルから外れるため、リールを別に所持している必要があり、面倒であるとともに、無くしてしまうおそれがあった。また、リールにケーブルを巻き付けたりほぐしたりする作業が面倒であった。
【０００８】
この発明は、簡略な構造または方法でコードの絡みを防止したステレオヘッドホン、ヘッドホン用スライダおよびステレオヘッドホンの折り畳み方法を提供することを目的とする。
【課題を解決するための手段】
【０００９】
この発明は、ステレオケーブルおよび該ステレオケーブルから分岐した２本のモノラルケーブルからなるオーディオケーブルと、前記ステレオケーブルの端部に接続されたステレオプラグと、前記２本のモノラルケーブルの各々の端部に接続された２つのスピーカ部と、を備えるとともに、さらに、前記ステレオプラグ、２つのスピーカ部、前記オーディオケーブルの３つの端部のうち１または複数の箇所に、前記オーディオケーブルの３つの端部を束ねる係止部材を備えたことを特徴とする。
【００１０】
この発明は、ステレオケーブルおよび該ステレオケーブルから分岐した２本のモノラルケーブルからなるオーディオケーブルと、前記ステレオケーブルの端部に接続されたステレオプラグと、前記２本のモノラルケーブルの各々の端部に接続された２つのスピーカ部と、前記オーディオケーブルが嵌通し、前記オーディオケーブルに沿って移動可能なスライダと、を備え、前記スライダは、前記ステレオプラグを係止するプラグ収納部を有していることを特徴とする。
【００１１】
この発明は、ステレオケーブルおよび該ステレオケーブルから分岐した２本のモノラルケーブルからなるオーディオケーブルと、前記ステレオケーブルの端部に接続されたステレオプラグと、前記２本のモノラルケーブルの各々の端部に接続された２つのスピーカ部と、を備えるとともに、さらに、前記ステレオケーブルの前記ステレオプラグ側端部に、前記２つのスピーカ部または前記モノラルケーブルの前記２つのスピーカ部側端部を係止するホルダ部材を備えたことを特徴とする。
【００１２】
この発明は、上記発明において、前記ホルダ部材は、前記ステレオケーブルの前記ステレオプラグからの引き出し部に設けられ、複数のフランジが適当な間隔でケーブル方向に配列された部材である蛇腹チューブを兼ねていることを特徴とする。
【００１３】
この発明は、ステレオケーブルおよび該ステレオケーブルから分岐した２本のモノラルケーブルからなるオーディオケーブルと、前記ステレオケーブルの端部に接続され、電極およびハウジングを有するステレオプラグと、前記２本のモノラルケーブルの各々の端部に接続された２つのスピーカ部と、を備えたステレオヘッドホンであって、前記ステレオプラグのハウジングに、前記２つのスピーカ部または前記モノラルケーブルの前記２つのスピーカ部側端部を係止するホルダ部を形成したことを特徴とする。
【００１４】
この発明のステレオヘッドホン用スライダは、ステレオヘッドホンのオーディオケーブルが緩く嵌通するケーブル嵌通部と、前記ステレオヘッドホンのステレオプラグを係止するプラグ収納部と、を備えたことを特徴とする。
【００１５】
この発明のステレオヘッドホンの折り畳み方法は、ステレオケーブルおよび該ステレオケーブルから分岐した２本のモノラルケーブルからなるオーディオケーブルを有するステレオヘッドホンを折り畳む方法であって、前記オーディオケーブルの３つの端部を１つに束ねて係止し、こののち、この３つの端部が束ねられた状態のオーディオケーブルをさらに折り畳むことを特徴とする。
【発明の効果】
【００１６】
この発明によれば、簡略な構造で、ステレオプラグおよび２つのスピーカ部、または、それらの近傍のオーディオケーブルを互いに係止して束ねることができ、これにより収納した場合にもオーディオケーブルが絡むことがなくなる。
【図面の簡単な説明】
【００１７】
【図１】この発明の実施形態であるステレオヘッドホンの構成および収納時の形態を説明する図
【図２】上記実施形態のスライダの構造図
【図３】この発明の第２の実施形態の説明図
【図４】この発明の第３の実施形態の説明図
【図５】この発明の第３の実施形態の説明図
【図６】この発明の第３の実施形態の説明図
【図７】この発明の第３の実施形態の説明図
【図８】この発明の第４の実施形態の説明図
【図９】この発明の第４の実施形態の説明図
【図１０】この発明の第４の実施形態の説明図
【発明を実施するための形態】
【００１８】
図１（Ａ）はインナーイヤータイプのステレオヘッドフォンの外観図である。ステレオヘッドホン１は、ステレオケーブル１１０の途中（分岐部１１Ａ）で２本のモノラルケーブル１１１，１１２に分岐するオーディオケーブル１１、オーディオケーブル１１のステレオケーブル１１０側の端部１１０Ａに接続されたステレオプラグ１５、オーディオケーブル１１の２本のモノラルケーブル１１１，１１２側の端部に接続された左右のスピーカ部１４Ｌ，Ｒ、および、２本のモノラルケーブル１１１，１１２が嵌通するチューブ状のスライダ２を有している。
【００１９】
オーディオケーブル１１は、２本の１芯シールド線が並列にゴム被覆されたステレオケーブル１１０が、分岐部１１Ａでそれぞれ１本ずつに分岐して２本のモノラルケーブル１１１，１１２となっている。ここで、モノラルケーブル１１１およびスピーカ部１４Ｌを左チャンネル用、モノラルケーブル１１２およびスピーカ部１４Ｒを右チャンネル用とする。
【００２０】
ステレオプラグ１５は、オーディオ再生装置のジャックに挿入される接点（コンタクト）２５およびハウジング２６を有している。また、ステレオプラグ１５（ハウジング２６）から引き出された直後のステレオケーブル１１０には蛇腹チューブ４が設けられている。蛇腹チューブ４は、オーディオケーブル１１が横方向に引っ張られたとき、ステレオプラグ１５からの引き出し部の曲率が小さくなりすぎないように抑制するための部材であり、複数のフランジが適当な間隔でケーブル方向に配列された蛇腹状のチューブである。この蛇腹チューブ４は、ステレオプラグ１５のハウジング２６と一体に、または、ハウジング２６と一緒にモールディング成形される。
【００２１】
スライダ２は、ステレオヘッドホン１の通常使用時は図１（Ａ）のように分岐部１１Ａ側に移動されており、ステレオヘッドホン１を使用しないとき図１（Ｂ）のようにスピーカ部１４側へ移動される。また、スライダ２は、ステレオプラグ１５の接点（コンタクト）２５を収納する収納部を備えている。スライダ２の構造の詳細は、図２を参照して後述する。
【００２２】
左右のモノラルケーブル１１１，１１２のスピーカ部１４側端部付近には、ケーブルの被覆径よりも若干太い瘤１１１Ａ，１１２Ａが形成されている。この瘤１１１Ａ，１１２Ａは、スライダ２の内壁に嵌合して、スライダ２の自由な移動を規制する。この瘤１１１Ａ，１１２Ａは樹脂モールディングで形成される。また、分岐部１１Ａには樹脂モールディングで補強部材１１３が形成されている。この補強部材１１３は、モノラルケーブル１１１，１１２が互いに離れる方向へ強く引っ張られた場合でもステレオケーブル１１０が裂けてしまわないように補強するための部材である。また、この補強部材１１３はスライダの分岐部１１Ａ側のストッパの機能も兼ねている。
【００２３】
図２を参照してスライダ２の構造を説明する。図２（Ａ）はスライダ２の斜視図、図２（Ｂ）はスライダ２の側断面図である。同図（Ｂ）において、右側がスピーカ部１４側であり、左側が分岐部１１Ａ側である。スライダ２は、弾性のある樹脂からなり、ケーブル嵌通部２０、プラグ収納部２１を有している。
【００２４】
ケーブル嵌通部２０は偏平なチューブ形状になっており、内部の嵌通孔２００を左右のモノラルケーブル１１１，１１２が嵌通する。嵌通孔２００は、それぞれ内径が異なる筒部２０１，瘤収容部２０２，瘤係止部２０３からなっている。筒部２０１は２本のモノラルケーブル１１１，１１２が容易に通過でき、且つ、モノラルケーブル１１１，１１２に形成された瘤１１１Ａ，１１２Ａが通過できない程度の内径になっている。瘤係止部２０３は、若干の弾性変形（伸び）を伴って瘤１１１Ａ，１１２Ａが通過できる程度の内径になっている。瘤収容部２０２は、弾性変形を伴うことなく瘤１１１Ａ，１１２Ａを収容できる程度の内径になっている。
【００２５】
この構造により、スライダ２がケーブル１１１，１１２を嵌通させて、分岐部１１Ａ側からスピーカ部１４側に移動されると、図１（Ｂ）のように２つのスピーカ部１４Ｌ，Ｒは１箇所にまとめられる。またこのとき、瘤１１１Ａ，１１２Ａが、コード嵌通部２０の瘤係止部２０３を通過して瘤収容部２０２に収容されることにより、瘤係止部２０３が瘤１１１Ａ，１１２Ａの移動を規制し、スライダ２が分岐部１１Ａ側に自由に移動することがない。
【００２６】
プラグ収納部２１は、ケーブル嵌通部２０の長手側面に重なるように形成されている。プラグ収納部２１は、略真円のチューブ形状を成しており、収容孔２１０は、ステレオプラグ１５の接点２５が嵌挿して抜け落ちない程度の内径を有している。
【００２７】
スライダ２は、ユーザがこのステレオヘッドホン１の左右のスピーカ部１４Ｌ，Ｒを左右の耳に装着したとき、ケーブル嵌通部２０よりもプラグ収納部２１が前（身体から離れる位置）になる向きにケーブル１１１，１１２に装着される。
【００２８】
上記構成のステレオヘッドホン１は、通常使用時には、スライダ２は、図１（Ａ）に示すように、分岐部１１Ａの近傍に移動されている。この状態でステレオプラグ１５が携帯音楽再生装置のジャックに挿入され、スピーカ部１４Ｌ，Ｒがユーザの左右の耳に装着されて使用に供される。
【００２９】
このステレオヘッドホン１の使用が終了して収納されるとき、まず、図１（Ｂ）のように、スライダ２がスピーカ部１４Ｌ，Ｒの近傍まで、すなわち、ケーブル１１１，１１２の瘤１１１Ａ，１１２Ａがスライダ２のケーブル嵌通部２１のケーブル収容部２０２に収容される位置まで移動される。これにより、左右のケーブル１１１，１１２および左右のスピーカ部１４Ｌ，Ｒが束ねられ、ケーブル１１１，１１２が分岐部１１Ａで開かず１本の線状になる。
【００３０】
そして、図１（Ｃ）のように、ステレオプラグ１５の接点２５をスライダ２のプラグ収納部２１に嵌挿させる。これにより、１本に束ねられたケーブル１１１，１１２の先端部に、さらにステレオケーブル１１０の先端部が係止され、ステレオヘッドホン１が全体として１本の環状になって、独立した端部がなくなる。このようにステレオヘッドホン１が１本の環状になることにより、ケーブル１１を折り畳む場合には、環をつぶして太く短いケーブルの束になったものを折り畳むことになり、ケーブル１１の端部、すなわちステレオプラグ１５やスピーカ部１４Ｌ，Ｒが、ばらばらになって折り畳まれたケーブル１１の途中をくぐるなどしてケーブル１１が縺れてしまうことがなくなる。このようにオーディオケーブル１１が環状になったステレオヘッドホン１を、ユーザが複数に折り畳んで小さい袋等に収納する。
【００３１】
なお、スライダ２は、ステレオヘッドホン１の製造時において、スピーカ部１４Ｌ，Ｒが接続される前にモノラルケーブル１１１，１１２を嵌通させておけばよい。または、ケーブル嵌通部２０に図２（Ｃ）に示すような切り込み２０５を設けておけば、後からスライダ２をステレオヘッドホン１に取り付けることも可能である。
【００３２】
なお、スライダ２のプラグ収納部２１は、図２に示した形状に限定されない。たとえば、チューブ形状でなく、断面が逆Ω形の溝状になっていてもよい。また、ステレオプラグ１５の接点２５を係止・収納する構造でなく、ステレオプラグ１５のハウジング２６、蛇腹チューブ４またはステレオプラグ１５から引き出し部付近のステレオケーブル１１０を係止する構造であってもよい。
【００３３】
《実施形態２》
図３は、この発明の他の実施形態を示す図である。この実施形態では、図１のスライダ２に代えて、図３（Ａ）に示すような形状のケーブルホルダ３をステレオプラグ１５の近傍に設けたことを特徴としている。この実施形態の説明において、図１に示した実施形態と同一構成の部分は同一番号を付して説明を省略する。
【００３４】
図３（Ａ）において、ケーブルホルダ３は、弾性のある樹脂で形成されており、ステレオケーブル１１０が嵌通するステレオケーブル嵌通部３０と、２本のモノラルケーブル１１１，１１２を係止するモノラルケーブル係止部３１，３２を有している。ステレオケーブル嵌通部３０は偏平なチューブ形状になっており、内部の嵌通孔３００をステレオケーブル１１０が嵌通する。
【００３５】
モノラルケーブル係止部３１，３２は、ステレオケーブル嵌通部３０の長径方向の両側に形成されている。モノラルケーブル係止部３１が左チャンネルのモノラルケーブル１１１を係止するための係止部であり、モノラルケーブル係止部３２が右チャンネルのモノラルケーブル１１２を係止するための係止部である。
【００３６】
モノラルケーブル係止部３１は、ステレオケーブル嵌通部３０の短径側の壁部３０１、および、一方の長径側の壁部３０３から延出し、他方の長径側の壁部３０４方向へ屈曲したフック部３１１によって形成された溝部３１０を有しており、この溝部３１０にモノラルケーブル１１１が収容される。フック部３１１の先端３１１Ａと壁部３０１との距離は、ケーブル１１１の径よりも若干狭く形成されている。ユーザが、フック部３１１の先端３１１Ａと壁部３０１との間にケーブル１１１を押し込むことによって、フック部３１１が弾性変形してケーブル１１１が溝部３１０に収容される。ケーブル１１１が溝部３１０に収容されたのちは、フック部３１１によりケーブル１１１が容易に外れることはない。
【００３７】
モノラルケーブル係止部３２もモノラルケーブル係止部３１と同様の構成である。すなわち、モノラルケーブル係止部３２は、ステレオケーブル嵌通部３０の短径側の壁部３０２、および、一方の長径側の壁部３０３から延出し、他方の長径側の壁部３０４方向へ屈曲したフック部３２１によって形成された溝部３２０を有しており、この溝部３２０にモノラルケーブル１１２が収容される。フック部３２１の先端３２１Ａと壁部３０１との距離は、ケーブル１１２の径よりも若干狭く形成されている。
【００３８】
このケーブルホルダ３は、図３（Ｂ）に示すように、ステレオプラグ１５近傍のステレオケーブル１１０に移動しないように取り付けられる。ケーブルホルダ３は、ステレオヘッドホン１の製造時において、ステレオプラグ１５が接続される前にステレオケーブル１１０を嵌通させて接着しておけばよい。または、ステレオプラグ１５のハウジング２６と一緒にモールディング成形してもよい。さらに、ステレオケーブル嵌通部３０に図２（Ｃ）に示したものと同様の切り込みを設けておき、後からステレオケーブル１１０に取り付け接着してもよい。
【００３９】
ステレオヘッドホン１を、通常使用の形態から、図３（Ｂ）に示したように、左右のモノラルケーブル１１１，１１２のスピーカ部１４Ｌ，Ｒ近傍の部分をケーブルホルダ３のモノラルケーブル係止部３１，３２に係止させることにより、ステレオヘッドホン１のケーブル１１を環状にすることができる。
【００４０】
なお、ケーブルホルダ３のモノラルケーブル係止部３１，３２は、図３に示した形状に限定されない。また、モノラルケーブル１１１，１１２を係止する構造でなく、スピーカ部１４Ｌ，Ｒを係止する構造であってもよい。
【００４１】
《実施形態３》
図４〜図７は、この発明のさらに他の実施形態を示す図である。この実施形態では、ステレオプラグ１５のハウジング２６、または、蛇腹チューブ４にモノラルケーブル１１１，１１２を係止する係止部を設けた例である。
【００４２】
図４は、ステレオプラグ１５のハウジング２６の底部と蛇腹チューブ４のハウジング側端面の双方にケーブル係止用の突条２６０，４００を設けた例である。突状２６０は、ハウジング２６の底面（ステレオケーブル１１０の引き出し面）に、接点２５の突出方向に並行に、底面の辺に沿って形成されている。なお、ステレオケーブル１１０は、底面の中央から２本のシールドケーブルが接点２５の突出方向に並ぶように引き出されている。突状４００は、フランジ４０のハウジング２６側の面に、突状２６０に対向する位置に、フランジ４０の円周に沿う形状で形成されている。これらの突条２６０，４００により、モノラルケーブル１１１，１１２が、ハウジング１６と蛇腹チューブ４との間に外れないように係止され、ほぼ図３（Ｂ）に示したような形状で全体が環状に束ねられる。
【００４３】
図５（Ａ）は、蛇腹チューブ４内の隣接する２枚のフランジ４０，４１の対向面に突条４０１，４０２を設けた例である。突条４０１，４０２は、ステレオケーブル１１０の２本のシールドケーブルの配列方向に並行に、互いに対向するように、フランジ４０の円周に沿う形状で形成されている。これらの突条４０１，４０２により、モノラルケーブル１１１，１１２が、蛇腹チューブ４によって外れないように係止され、ほぼ図３（Ｂ）に示したような形状で全体が環状に束ねられる。
【００４４】
図５（Ｂ）は、蛇腹チューブ４に隣接するステレオプラグ１５と反対側の位置に、蛇腹チューブ４と類似した形状のケーブルホルダ５を形成した例である。このケーブルホルダ５は、２枚のフランジ５１，５２を備え、各フランジ５１，５２の対向面に突条５０１，５０２を有している。突条５０１，５０２は、ステレオケーブル１１０の２本のシールドケーブルの配列方向に並行に、互いに対向するように、フランジ４０の円周に沿う形状で形成されている。これらの突条５０１，５０２により、モノラルケーブル１１１，１１２が、ケーブルホルダ５によって外れないように係止され、ほぼ図３（Ｂ）に示したような形状で全体が環状に束ねられる。
【００４５】
図６、図７は、ステレオプラグ１５のハウジング２６にモノラルケーブル１１１，１１２を係止する係止部を設けた例を示している。  
図６の例では、ハウジング２６のステレオケーブル１１０の引き出し面の反対側である頂部に、接点２５の突出方向に直角にケーブル収納溝１６０が設けられている。収納溝１６０は、側壁１６１，１６２を残すように切欠き成形されたものである。両側壁１６１，１６２の端部は対向しており、その間隔がモノラルケーブル１１１，１１２の外径よりも細くなっている。これにより、ケーブル収納溝１６０に押し込まれたモノラルケーブルは、側壁１６１，１６２によって外れないように係止され、ほぼ図３（Ｂ）に示したような形状で全体が環状に束ねられる。
【００４６】
図７（Ａ）は本実施形態のステレオプラグ１５の正面図、図７（Ｂ）は同ステレオプラグ１５の側面図を示している。図７の例では、ハウジング２６のステレオケーブル１１０の引き出し面の反対側の頂面に、接点２５の突出方向に並行にケーブル収納溝１７０が設けられている。収納溝１７０は、側壁１７１，１７２および突起１７１Ａ，１７２Ａを残すように切欠き成形されたものである。収納溝１７０は２本のモノラルケーブル１１１，１２を並べて収納できる幅を有するが、両側壁１７１，１７２の上部に形成された突起１７１Ａ，１７２Ａが互いに対向することによって、収納溝１７０の開口部が２本のモノラルケーブル１１１，１１２の幅よりも細くなっている。これにより、ケーブル収納溝１７０に収納されたモノラルケーブルは、突起１７１Ａ，１７２Ａによって外れないように係止され、ほぼ図３（Ｂ）に示したような形状で全体が環状に束ねられる。
【００４７】
《実施形態４》
図８〜図１０を参照して、本発明のさらに他の実施形態について説明する。この実施形態のスライダ６は、モノラルケーブル１１１、１１２のスピーカ部１４側の端部でステレオプラグ１５のハウジング２６を把持することによって、オーディオケーブル１１を束ねる。
【００４８】
まず、図８、図９を参照してスライダの構造について説明する。この実施形態において、先に説明した実施形態と同様の構造の部分については同一番号を付して説明を省略する。図８（Ａ）はスライダ６の斜視図、図８（Ｂ）はスライダ６の側面図である。また、図９はスライダ６が若干スピーカ部１４方向に移動された状態でステレオプラグ１５を把持している状態を示す側面図である。
【００４９】
スライダ６は、弾性且つ硬質な樹脂からなり、ケーブル嵌通部６０、プラグ収納部６１を有している。ケーブル嵌通部６０は偏平な２穴のチューブ形状になっており、２つの嵌通孔６０１，６０２をそれぞれ左右のモノラルケーブル１１１，１１２が嵌通する。モノラルケーブル１１１，１１２を嵌通孔６０１，６０２内で移動させることにより、スライダ６はケーブル１１１，１１２にそって移動可能である。プラグ収納部６１は、ケーブル嵌通部６０の長手側面につなげて形成されている。プラグ収納部６１は、ケーブル嵌通部６０と反対側の側面に開口部６１０を有する略円筒形状を成しており、その内径は、ステレオプラグ１５のハウジング２６を把持して抜け落ちない程度の大きさである。
【００５０】
プラグ収納部６１は、ケーブル嵌通部６０との接合部から円筒の左側面を形成する左翼部６１１、右側面を形成する右翼部６１２を有しており、左翼部６１１と右翼部６１２の先端部の間が開口部６１０になっている。開口部６１０の間隔は、ステレオプラグ１５のハウジング２６の外径よりも若干小さい寸法になっている。
【００５１】
ステレオプラグ１５をスライダ６に収納するとき、ユーザは、開口部６１０にステレオプラグ１５のハウジング２６を側面から押しつけて左右の翼部６１１、６１２を弾性変形させる。この変形により、開口部６１０の間隔がハウジング２６の外径まで広がり、ハウジング２６がプラグ収納部６１の内部に押し込まれる。こののち左右の翼部６１１、６１２は元の形状に復帰してハウジング２６を把持する。これにより、ステレオプラグ１５がスライダ６のプラグ収納部６１に収納される。
【００５２】
スライダ６は、ユーザがこのステレオヘッドホン１の左右のスピーカ部１４Ｌ，Ｒを左右の耳に装着したとき、ケーブル嵌通部６０よりもプラグ収納部６１が前（身体から離れる位置）になるようにモノラルケーブル１１１，１１２に装着される。
【００５３】
また、左右の翼部６１１，６１２は、それぞれ先端部の上側に円弧形状の切欠部６１１Ａ，６１２Ａを有している。このように翼部６１１，６１２に切欠部６１１Ａ，６１２Ａを設けたことにより、図９に示すように、略９０度に屈曲したハウジング２６を有するステレオプラグ１５であっても上方に突出することなく収納することが可能になる。
【００５４】
図１０を参照してスライダ６を用いてケーブル１１を束ねる手順について説明する。ステレオヘッドホン１のケーブル１１に取り付けられたスライダ６は、通常使用時には、図１０（Ａ）に示すように、分岐部１１Ａのストッパ７近傍に移動されている。この状態でステレオプラグ１５が携帯音楽再生装置のジャックに挿入され、スピーカ部１４Ｌ，Ｒがユーザの左右の耳に装着されて使用に供される。
【００５５】
スライダ６は、ステレオヘッドホン１の通常使用時は図１０（Ａ）のように分岐部１１Ａのストッパ７側に移動されている。ステレオヘッドホン１の使用が終了して収納されるとき、まず、図１０（Ｂ）のように、スライダ６がスピーカ部１４Ｌ，Ｒの近傍まで移動される。これにより、左右のケーブル１１１，１１２および左右のスピーカ部１４Ｌ，Ｒが束ねられ、ケーブル１１１，１１２が分岐部１１Ａで開かず１本の線状になる。
【００５６】
そして、図１０（Ｃ）のように、ステレオプラグ１５のハウジング２６をスライダ６のプラグ収納部６１に嵌挿させる。これにより、１本に束ねられたケーブル１１１，１１２の先端部に、さらにステレオケーブル１１０の先端部が係止され、ステレオヘッドホン１が全体として１本の環状になって、独立した端部がなくなる。こののち、環をつぶして太く短いケーブルの束になったものを折り畳むことになり、ケーブル１１の端部、すなわちステレオプラグ１５やスピーカ部１４Ｌ，Ｒが、ばらばらになって折り畳まれたケーブル１１の途中をくぐるなどしてケーブル１１が縺れてしまうことがなくなる。
【００５７】
なお、スライダ６のプラグ収納部６１は、ステレオプラグ１５のハウジング２６を把持することによって収納するため、ステレオプラグ１５が携帯オーディオプレーヤ等に差し込まれたままの状態でも、ステレオプラグ１５を収納することができる。
【００５８】
《尚書き》
本発明は、この明細書、図面に示した実施形態に限定されず、特許請求の範囲記載の技術的思想を実現できる構成であれば、その形状に制限はない。たとえば、左右のスピーカ部１４Ｌ，Ｒまたは左右のモノラルケーブル１１１，１１２に係止部材を設けても良い。すなわち、左右のスピーカ部１４Ｌ，Ｒまたは左右のモノラルケーブル１１１，１１２の両方にほぼ同じ形状、且つ、互いに接続可能な部材を設け、これらが接続された状態でステレオプラグ１５を保持できる構造にするなどである。
【００５９】
左右のスピーカ部１４Ｌ，Ｒまたは左右のモノラルケーブル１１１，１１２の両方に部材を設ける場合、たとえば、光り物などイヤリングのような外観の形状にすることにより、スピーカ部１４Ｌ，Ｒまたはその直下に部材を設けても違和感がない。
【００６０】
また、ステレオプラグ１５としては、ステレオミニプラグ、マイクロプラグのほか、携帯電話等に接続するための平型プラグや外部接続プラグでもよい。
【符号の説明】
【００６１】
１  ステレオヘッドホン
２、６  スライダ
３、５  ケーブルホルダ
４  蛇腹チューブ
１１  オーディオケーブル
１４Ｌ，Ｒ  スピーカ部
１５  ステレオプラグ
２０、６０  ケーブル嵌通部
２１、６１  プラグ収納部
３０  ステレオケーブル嵌通部
３１，３２  モノラルケーブル係止部
４０、４１、５１、５２  フランジ
１１０  ステレオケーブル
１１１、１１２  モノラルケーブル
６１１，６１２  翼部
【図１】
2011139435.tif 000003
【図２】
2011139435.tif 000004
【図３】
2011139435.tif 000005
【図４】
2011139435.tif 000006
【図５】
2011139435.tif 000007
【図６】
2011139435.tif 000008
【図７】
2011139435.tif 000009
【図８】
2011139435.tif 000010
【図９】
2011139435.tif 000011
【図１０】
2011139435.tif 000012